(57)【特許請求の範囲】
【請求項１】
ＡＤ変換器の入力側に設けられた可変増幅器のゲインを制御するための自動利得制御装置であって、
前記ＡＤ変換器からの出力値に応じて、可変増幅器のゲインを周期的に更新設定するゲイン設定部と、
前記ＡＤ変換器からの出力値からの変動の緩急に応じて、１フレーム分のデータ平均値が第１設定値以上かつ第２設定値以下である場合、ゲインの更新周期が異なる複数の動作モードのうち定常モードをゲイン設定部の動作モードとして選択する動作モード選択部とを備えたことを特徴とする自動利得制御装置。
【請求項２】
無線信号を受信するアンテナと、
受信された信号をゲイン可変に増幅する可変増幅器と、
増幅された信号をアナログからデジタルに変換するＡＤ変換器と、
前記ＡＤ変換器からの出力値に応じて、可変増幅器のゲインを周期的に更新設定するゲイン設定部と、
前記ＡＤ変換器からの出力値の変動の緩急に応じて、１フレーム分のデータ平均値が第１設定値以上かつ第２設定値以下である場合、ゲインの更新周期が異なる複数の動作モードのうち定常モードをゲイン設定部の動作モードとして選択する動作モード選択部とを備えたことを特徴とする無線通信装置。
【請求項３】
無線信号を受信するアンテナと、
受信された信号を互いに直交するＩ成分およびＱ成分に分離する分離器と、
分離されたＩ成分およびＱ成分をそれぞれゲイン可変に増幅するＩ成分可変増幅器およびＱ成分可変増幅器と、
増幅された２信号をそれぞれアナログからデジタルに変換するＩ成分ＡＤ変換器およびＱ成分ＡＤ変換器と、
前記Ｉ成分ＡＤ変換器からの出力値およびＱ成分ＡＤ変換器からの出力値に応じて、Ｉ成分可変増幅器およびＱ成分可変増幅器に共通のゲインを周期的に更新設定するゲイン設定部と、
前記Ｉ成分ＡＤ変換器からの出力値の変動およびＱ成分ＡＤ変換器からの出力値の変動の緩急に応じて、１フレーム分のデータ平均値が第１設定値以上かつ第２設定値以下である場合、ゲインの更新周期が異なる複数の動作モードのうち定常モードをゲイン設定部の動作モードとして選択する動作モード選択部とを備えたことを特徴とする無線通信装置。
【請求項４】
無線信号を受信するアンテナと、
受信された信号を互いに直交するＩ成分およびＱ成分に分離する分離器と、
分離されたＩ成分およびＱ成分をそれぞれゲイン可変に増幅するＩ成分可変増幅器およびＱ成分可変増幅器と、
増幅された２信号をそれぞれアナログからデジタルに変換するＩ成分ＡＤ変換器およびＱ成分ＡＤ変換器と、
前記Ｉ成分ＡＤ変換器からの出力値に応じて、Ｉ成分可変増幅器のゲインを周期的に更新設定するＩ成分ゲイン設定部と、
前記Ｉ成分ＡＤ変換器からの出力値の変動の緩急に応じて、１フレーム分のデータ平均値が第１設定値以上かつ第２設定値以下である場合、ゲインの更新周期が異なる複数の動作モードのうち定常モードをＩ成分ゲイン設定部の動作モードとして選択するＩ成分動作モード選択部と、
前記Ｑ成分ＡＤ変換器からの出力値に応じて、Ｑ成分可変増幅器のゲインを周期的に更新設定するＱ成分ゲイン設定部と、
前記Ｑ成分ＡＤ変換器からの出力値の変動の緩急に応じて、１フレーム分のデータ平均値が第１設定値以上かつ第２設定値以下である場合、ゲインの更新周期が異なる複数の動作モードのうち定常モードをＱ成分ゲイン設定部の動作モードとして選択するＱ成分動作モード選択部とを備えたことを特徴とする無線通信装置。
【請求項５】
無線信号を受信する第１アンテナおよび第２アンテナと、
第１アンテナおよび第２アンテナで受信された信号をそれぞれゲイン可変に増幅する第１可変増幅器および第２可変増幅器と、
増幅された２信号をそれぞれアナログからデジタルに変換する第１ＡＤ変換器および第２ＡＤ変換器と、
前記第１ＡＤ変換器からの出力値および第２ＡＤ変換器からの出力値に応じて、第１可変増幅器および第２可変増幅器に共通のゲインを周期的に更新設定するゲイン設定部と、
前記第１ＡＤ変換器からの出力値の変動および第２ＡＤ変換器からの出力値の変動の緩急に応じて、１フレーム分のデータ平均値が第１設定値以上かつ第２設定値以下である場合、ゲインの更新周期が異なる複数の動作モードのうち定常モードをゲイン設定部の動作モードとして選択する動作モード選択部とを備えたことを特徴とする無線通信装置。
【請求項６】
前記ゲイン設定部で設定したゲインを用いて、ＡＤ変換器の出力値から受信電力量を算出する処理を行う処理部をさらに備えたことを特徴とする請求項２から請求項５のうちのいずれか１項記載の無線通信装置。
【発明の詳細な説明】
【技術分野】
【０００１】
この発明は、ＡＤ変換器の入力側に設けられた可変増幅器のゲインを制御する自動利得制御装置および無線通信装置に関するものである。
【背景技術】
【０００２】
図９に従来の自動利得制御装置（AGC;Auto Gain Controller）を適用した無線通信装置１を示す。無線通信装置１では、アンテナ２で受信した信号を増幅器３、可変増幅器４で増幅し、これをミキサ５でI成分とＱ成分に分離する。分離した信号をＡＤ変換器６ｉ，６ｑでアナログからデジタルに変換した後、処理部７にて復号等の処理を行う。自動利得制御装置８は、ＡＤ変換器６ｉ，６ｑからの出力値と基準値との差をエラー信号として算出し、これを閾値と比較して可変増幅器４のゲインを一定の周期で更新設定する。このような構成によって、ＡＤ変換器６ｉ，６ｑのダイナミックレンジに適したレベルの信号をＡＤ変換器６ｉ，６ｑに入力することができ、ＡＤ変換器６ｉ，６ｑの良好な変換精度を実現している。
このようにエラー信号を閾値と比較してゲイン制御を行うＡＧＣの例として、特表平１０−５０６７６４がある。
【発明の開示】
【発明が解決しようとする課題】
【０００３】
しかしながら上記の技術では、受信電力が急激に変動するなどして受信環境が変化した場合でも、一定の周期が経過するまでゲインが更新されない。このため 、電力変動の激しいときにＡＤ変換器のダイナミックレンジに不適な信号がＡＤ 変換器に入力され、ＡＤ変換器の変換精度が低下するという問題があった。
【課題を解決するための手段】
【０００４】
この発明の目的は、受信環境が変化した場合でもＡＤ変換器の変換精度を良好に維持できる自動利得制御装置および無線通信装置を提供することである。
【０００５】
この発明は、ＡＤ変換器の入力側に設けられた可変増幅器のゲインを制御するための自動利得制御装置であって、
前記ＡＤ変換器からの出力値に応じて、可変増幅器のゲインを周期的に更新設定するゲイン設定部と、
前記ＡＤ変換器からの出力値からの変動の緩急に応じて、１フレーム分のデータ平均値が第１設定値以上かつ第２設定値以下である場合、ゲインの更新周期が異なる複数の動作モードのうち定常モードをゲイン設定部の動作モードとして選択する動作モード選択部とを備えたことを特徴とする自動利得制御装置である。
この発明によれば、受信電力の変動状況に応じて更新周期の異なる動作モードのいずれかで可変増幅器のゲインを更新設定するため、通信環境の変化に応じた可変増幅器の利得制御が可能であり、ＡＤ変換器の変換精度を良好に維持することができる。
また本発明は、無線信号を受信するアンテナと、
受信された信号をゲイン可変に増幅する可変増幅器と、
増幅された信号をアナログからデジタルに変換するＡＤ変換器と、
前記ＡＤ変換器からの出力値に応じて、可変増幅器のゲインを周期的に更新設定するゲイン設定部と、
前記ＡＤ変換器からの出力値の変動の緩急に応じて、１フレーム分のデータ平均値が第１設定値以上かつ第２設定値以下である場合、ゲインの更新周期が異なる複数の動作モードのうち定常モードをゲイン設定部の動作モードとして選択する動作モード選択部とを備えたことを特徴とする無線通信装置無線通信装置である。
【０００６】
本発明によれば、上記の自動利得制御を適用した無線通信装置においても、同様に、通信環境の変化に応じた可変増幅器の利得制御が可能であり、ＡＤ変換器の変換精度を良好に維持できる。
また本発明は、無線信号を受信するアンテナと、
受信された信号を互いに直交するＩ成分およびＱ成分に分離する分離器と、
分離されたＩ成分およびＱ成分をそれぞれゲイン可変に増幅するＩ成分可変増幅器およびＱ成分可変増幅器と、
増幅された２信号をそれぞれアナログからデジタルに変換するＩ成分ＡＤ変換器およびＱ成分ＡＤ変換器と、
前記Ｉ成分ＡＤ変換器からの出力値およびＱ成分ＡＤ変換器からの出力値に応じて、Ｉ成分可変増幅器およびＱ成分可変増幅器に共通のゲインを周期的に更新設定するゲイン設定部と、
前記Ｉ成分ＡＤ変換器からの出力値の変動およびＱ成分ＡＤ変換器からの出力値の変動の緩急に応じて、１フレーム分のデータ平均値が第１設定値以上かつ第２設定値以下である場合、ゲインの更新周期が異なる複数の動作モードのうち定常モードをゲイン設定部の動作モードとして選択する動作モード選択部とを備えたことを特徴とする無線通信装置である。
本発明によれば、直交変換方式の無線通信装置において、Ｉ成分可変増幅器のゲインとＱ成分可変増幅器のゲインとをまとめて制御できるため、装置構成を簡略化できる。
また本発明は、無線信号を受信するアンテナと、
受信された信号を互いに直交するＩ成分およびＱ成分に分離する分離器と、
分離されたＩ成分およびＱ成分をそれぞれゲイン可変に増幅するＩ成分可変増幅器およびＱ成分可変増幅器と、
増幅された２信号をそれぞれアナログからデジタルに変換するＩ成分ＡＤ変換器およびQ成分ＡＤ変換器と、
前記Ｉ成分ＡＤ変換器からの出力値に応じて、Ｉ成分可変増幅器のゲインを周期的に更新設定するＩ成分ゲイン設定部と、
前記Ｉ成分ＡＤ変換器からの出力値の変動の緩急に応じて、１フレーム分のデータ平均値が第１設定値以上かつ第２設定値以下である場合、ゲインの更新周期が異なる複数の動作モードのうち定常モードをＩ成分ゲイン設定部の動作モードとして選択するＩ成分動作モード選択部と、
前記Ｑ成分ＡＤ変換器からの出力値に応じて、Ｑ成分可変増幅器のゲインを周期的に更新設定するＱ成分ゲイン設定部と、
前記Ｑ成分ＡＤ変換器からの出力値の変動の緩急に応じて、１フレーム分のデータ平均値が第１設定値以上かつ第２設定値以下である場合、ゲインの更新周期が異なる複数の動作モードのうち定常モードをＱ成分ゲイン設定部の動作モードとして選択するＱ成分動作モード選択部とを備えたことを特徴とする
無線通信装置である。
本発明によれば、Ｉ成分およびＱ成分に関して個別に動作モードの選択を行うため、可変増幅器２３ｉのゲインと可変増幅器２３ｑのゲインとを独立に制御することができる。  また本発明は、無線信号を受信する第１アンテナおよび第２アンテナと、
第１アンテナおよび第２アンテナで受信された信号をそれぞれゲイン可変に増幅する第１可変増幅器および第２可変増幅器と、
増幅された２信号をそれぞれアナログからデジタルに変換する第１ＡＤ変換器および第２ＡＤ変換器と、
前記第１ＡＤ変換器からの出力値および第２ＡＤ変換器からの出力値に応じて、第１可変増幅器および第２可変増幅器に共通のゲインを周期的に更新設定するゲイン設定部と、
前記第１ＡＤ変換器からの出力値の変動および第２ＡＤ変換器からの出力値の変動の緩急に応じて、１フレーム分のデータ平均値が第１設定値以上かつ第２設定値以下である場合、ゲインの更新周期が異なる複数の動作モードのうち定常モードをゲイン設定部の動作モードとして選択する動作モード選択部とを備えたことを特徴とする無線通信装置である。
【０００７】
本発明によれば、ダイバシティブランチを有する無線通信装置において、第１ブランチおよび第２ブランチからの信号を１本化し、ゲイン設定部にて第１可変増幅器のゲインと第２可変増幅器のゲインとをまとめて制御するため、装置構成を簡略化できる。
また本発明は、前記ゲイン設定部で設定したゲインを用いて、ＡＤ変換器の出力値から受信電力量を算出する処理を行う処理部をさらに備えたことを特徴とする。
本発明によれば、可変増幅器によって増幅された後のアナログ信号に対応するデジタル出力値を、設定されたゲインを用いて、増幅前のアナログ信号に対応するデジタル値に修正することによって、正確な受信電力量を得ることができる。
【発明を実施するための最良の形態】
【０００８】
実施の形態１．
図１は、この発明の第１実施形態として無線通信装置の電気的構成を示すブロック図である。無線通信装置１０は、アンテナ１１、増幅器１１a、ミキサ１２ 、可変増幅器（Variable Gain  Amplifier；VGA）１３ｉ，１３ｑ、ＡＤ変換１４ ｉ，１４ｑ、処理部１５、自動利得制御装置（ＡＧＣ）１９を備える。
アンテナ１１は、移動体端末などの無線端末からの無線信号を受信する。無線端末では直交変調によって位相の異なるＩ成分，Ｑ成分の信号を混合して無線信号を生成しており、ミキサ１２は、アンテナ１１からの信号を検波して分離しＩ成分，Ｑ成分の信号を復元する。可変増幅器１３ｉ，１３ｑは、ミキサ１２にて分離されたＩ成分，Ｑ成分の信号をそれぞれ増幅する。ＡＤ変換器１４ ｉ，１４ｑは、可変増幅器１３ｉ，１３ｑからの信号をそれぞれアナログからデジタルに変換する。処理部１５は、分離された信号の再合成、スペクトラム逆拡散、ＡＤ 変換器１４ ｉ，１４ｑの出力値とゲイン制御量とから受信電力量を算出するなどの各種処理を行う。
自動利得制御装置１９は、演算部（Ｉ2＋Ｑ2）１６、モード選択部１７およびゲイン設定部１８を備え、可変増幅器１３ｉ，１３ｑの共通ゲインを制御する。演算部１６は、ＡＤ変換器１４ ｉ，１４ｑからの出力値に基づきΣ（Ｉ2＋Ｑ2）を算出する。モ−ド選択部１７は、演算結果に基づいて、更新周期の異なる定常モードおよび高速モードのうちのいずれかを選択する。ゲイン設定部１８は、モード選択部１７で選択された動作モードで、可変増幅器１３ｉ，１３ｑの共通ゲインを更新設定する。
また、上記の処理部１５は、ＡＤ変換器１４ ｉ，１４ｑの出力値とゲイン設定部１８で設定したゲイン制御量とから受信電力量を算出し、この値に基づいて無線通信装置の送信電力制御を行う。あるいは、通信相手の送信電力制御のために受信電力量を送信する。
このような構成では、Ｉ成分とＱ成分とを演算部１６にて１本化し、ゲイン設定部１８にて可変増幅器１３ｉ，１３ｑのゲインをまとめて制御するため、装置構成を簡略化できる。また、演算部１６では、Σ（Ｉ2＋Ｑ2）という計算式を用いるため、Ｉ成分とＱ成分とを均等に扱うことができ、どのような通信環境においても、充分な制御性能を得ることができる。
次に、図２〜図６を用いて無線通信装置の動作を説明する。
図２は、ゲイン設定部１８の動作モードを示す図である。ここでは、１０ｍｓを１フレームと定義し、１フレームを１５等分したものを１スロットと定義する。定常モードは、ゲインの更新周期が比較的長めの周期Ｔ１の動作モードであり、高速モードは、ゲインの更新周期が比較的短めの周期Ｔ２（＜Ｔ１）の動作モードである。たとえば、図２に示すように、周期Ｔ１は１フレーム相当の時間、すなわち１０ｍｓであり、周期Ｔ２は５スロット相当の時間、すなわち１０／３ｍｓである。動作モードが定常モードである間は、ゲイン設定部は周期Ｔ１でゲインを更新設定し、動作モードが高速モードに変更された場合、ゲイン設定部は周期T２でゲインを更新設定する。
図３は、ＡＧＣ処理流れを示すフローチャートである。ステップａ１で処理を開始すると、次のステップａ２において、Ｉ2＋Ｑ2を算出する（演算部１６）。
次にステップａ３において、１スロットデータ合計値に算出したばかりのＩ2＋Ｑ2を加算する。次にステップａ４において、加算したデータの個数が１スロット分（たとえば５１２０個）に到達したかどうかを判定する。未到達の場合は、到達するまでステップａ２〜ａ４の処理を繰り返す。到達した場合は、次のステップａ５において、１スロットデータ合計値を１スロット分のデータ数で除算する。このように、ステップａ３〜ａ５によって、スロット平均化、すなわち、１スロット内での（Ｉ2＋Ｑ2）の平均値を算出することが可能である。
次にステップａ６において、高速モードが必要かどうかをチェックするためのスロットチェック処理、および定常モードが必要かどうかをチェックするためのフレームチェック処理に関するリクエストを出す。ステップａ６が終了すると、次のステップａ７，ステップａ８を行うとともに、ステップａ２に戻りスロット平均化の処理を繰り返して行う。ステップａ７では、処理リクエストに従って高速モード用のスロットチェック処理を行い、ステップａ８では、定常モード用のフレームチェック処理を行う。このステップａ７，ａ８の処理については、図４、図５をそれぞれ用いて詳しく後述する。
次にステップａ９において、ゲイン制御量を設定する。ステップａ９については、図６を用いて詳しく後述する。次にステップａ１０において、ゲイン制御量をゲイン設定部１８から可変増幅器１３ｉ，１３ｑに出力し、ステップａ１１において、処理を終了する。
図４は、図３のフレームチェック処理を詳しく示すフローチャートである。ステップｂ１にて、フレ−ムチェック処理を開始すると、次のステップｂ２において、処理リクエストが有るか否かを判定する。処理リクエストが無い場合、有ると判定されるまで、ステップｂ２の判定処理を繰り返す。処理リクエストが有る場合、次のステップｂ３において、１フレーム分データ合計に図３の処理で算出した１スロット平均値を加算する。
次にステップｂ４において、スロット数が１５に達したか否かを判定する。スロット数＝１５となった場合、次のステップｂ５において、１フレーム分のデータ合計値を１フレーム分のスロット数である１５で除算したものをフレーム平均値として算出する。このように、ステップｂ３〜ステップｂ５の処理によって、１フレームの平均値を算出できる。
次にステップｂ６において、１フレーム平均値が定常モード下限設定値Ｌｓよりも小さい、又は、定常モード上限設定値Ｕｓよりも大きいか否かを判定する。ステップｂ４またはステップｂ６の条件を満たさない場合、ステップｂ７において、定常動作フラグＮＯＲ＿ＦＬＧに非定常モードを示す”０”を代入する。一方、ステップｂ６の条件を満たす場合、定常動作フラグＮＯＲ＿ＦＬＧに定常モードを示す”１”を代入する。
このように、図４のフレームチェック処理では、ステップｂ２〜ステップｂ８の処理を繰り返すことによって、定常動作フラグＮＯＲ＿ＦＬＧを更新設定することができる。特に、ステップｂ６では、１フレーム平均値を評価することにより、受信電力の変動状況を評価しており、その評価結果に基づき定常動作フラグＮＯＲ＿ＦＬＧを定常モードおよび非定常モードのいずれかに設定している。
なお、定常モード上限設定値Ｕｓおよび定常モード下限設定値Ｌｓは、予め定められた値であり、定常モード上限設定値Ｕｓとして定常モード下限設定値Ｌｓよりも大きい値が設定される。
図５は、図３のスロットチェック処理を詳しく示すフローチャートである。ステップｃ１にてスロットチェック処理を開始すると、次のステップｃ２において、処理リクエストが有るか否かを判定する。処理リクエストが無い場合、有ると判定されるまで、ステップｃ２の判定処理を繰り返す。処理リクエストが有る場合、次のステップｃ３において、前スロットでの高速モード履歴が無しであるか否かを判定する。履歴が有る場合、すなわちステップｃ３の判定結果が”ＮＯ”である場合、ステップｃ２，ステップｃ３の判定処理を繰り返す。
ステップｃ３において、前スロットでの高速モード履歴が無しと判定された場合、すなわち、”ＹＥＳ”と判定された場合、次のステップｃ４において、図３で求めた１スロット平均値が高速モード下限設定値Ｌｈよりも小さい、又は高速モード上限設定値Ｕｈよりも大きいか否かを判定する。ステップｃ４の条件に適合した場合、次のステップｃ５にて、ｎスロット分（ｎ：１以上の整数）連続してステップｃ４の条件に適合したか否かを判定する。適合した場合、次のステップｃ６にて、高速動作フラグＨＩ＿ＦＬＧに高速モードを示す”１”を代入する。ステップｃ４またはステップｃ５において条件に適合しない場合、ステップｃ７にて、高速動作フラグＨＩ＿ＦＬＧに非高速モードを示す”０”を代入する。
このように、図５のスロットチェック処理では、ステップｃ２〜ステップｃ７の処理を繰り返すことによって、高速動作フラグを更新設定することができる。特に、ステップｃ４，ステップｃ５では、１スロット平均値を評価することにより、受信電力の変動状況を評価しており、その評価結果に基づき高速動作フラグＨＩ＿ＦＬＧを高速モードおよび非高速モードのいずれかに設定している。
なお、高速モード上限設定値Ｕｈおよび高速モード下限設定値Ｌｈは予め定められた値である。高速モード上限設定値Ｕｈとしては、定常モード上限設定値Ｕｓよりもさらに大きい値が設定され、高速モード下限設定値Ｌｈとしては、、定常モード下限設定値Ｌｓよりもさらに小さい値が設定される。
図６は、図３のゲイン制御量設定処理を詳しく示すフローチャートである。ステップｄ１にてゲイン制御量設定処理を開始すると、次のステップｄ２において、定常動作フラグＮＯＲ＿ＦＬＧ＝０かつ高速動作フラグＨＩ＿ＦＬＧ＝０であるか否か、すなわち、非定常モードかつ非高速モードであるか否かを判定する。非定常モードかつ非高速モードである場合、定常モード又は高速モードになるまでステップｄ２の判定処理を繰り返す。
ステップｄ２の条件に適合しない場合、すなわち、定常モード又は高速モードになった場合、次のステップｄ３において、高速動作フラグＨＩ＿ＦＬＧ＝１か否か、すなわち、高速モードか否かを判定する。高速モードである場合、ステップｄ４において、ゲイン制御量として±ＸｄＢ（Ｘ：１よりも大きい実数）を設定し、ステップｄ２の処理に戻る。ステップｄ３において高速モードでない場合、定常モードであるはずであり、ステップｄ５にてゲイン制御量を±１ｄＢに設定し、ステップｄ２の処理に戻る。
このように図６のゲイン制御量設定処理では、ステップｄ４またはステップｄ５にてゲイン制御量を設定した後、ステップｄ２〜ステップｄ５の処理を繰り返すことによって、受信電力の変動状況に合わせてゲイン制御量を更新設定することができる。なお、図３のステップａ３からステップｄ３までの処理は、モード選択部１７にて行われ、ステップｄ４以降はゲイン設定部１８にて行われる。
上述したように第１実施形態では、受信電力の変動状況に応じて更新周期の異なる動作モードのいずれかで可変増幅器のゲインを更新設定するため、通信環境の変化に応じた可変増幅器の利得制御が可能である。すなわち、通信環境が変化しても、ＡＤ変換器にはそのダイナミックレンジに適した信号を入力し続けることができるため、ＡＤ変換器の変換精度を良好に維持することができる。
特に、ＣＤＭＡ（符号分割多元接続）方式の無線通信基地局等では、通常、受信電力の変化がほとんど無いため、緩やかな利得制御が望ましく、定常モードにて制御を行う。一方、非常に稀なケースではあるが急激な電力変動があった場合には、高速モードにて制御を行い、緊急に電力変動に追随させる。このように、通信環境に合わせた制御が可能となる。
なお、第１実施形態では、位相を９０度ずらせてＩ成分とＱ成分とを合成する直交変調方式について述べたが、本発明は、これに限るものではなく、単純な変調方式にも適用可能である。また、定常モードのゲイン制御量を±１ｄＢとしたが、これに限るものではない。また、演算部１６の計算式としてΣ（Ｉ2＋Ｑ2）を採用したが、これに限るものではなく、たとえば、ΣＩ2とΣＱ2とを個別に算出しておき、これを基にして可変増幅器１３ｉ，１３ｑの共通ゲインを設定することが可能である。
【０００９】
実施の形態２．
図７は、この発明の第２実施形態として無線通信装置の電気的構成を示すブロック図である。無線通信装置２０は、第１実施形態の構成を一部変更したものであって、アンテナ２１、増幅器２１ａ、ミキサ２２、可変増幅器（ＶＧＡ）２３ ｉ，２３ｑ、ＡＤ変換器２４ｉ，２４ｑ、処理部２５、自動利得制御装置（ＡＧＣ）２９を備える。アンテナ２１、増幅器２１ａ、ミキサ２２、可変増幅器（ＶＧＡ）２３ｉ，２３ｑ、ＡＤ変換器２４ｉ，２４ｑおよび処理部２５は、図１と同様のものであるため説明を省略する。
自動利得制御装置２９は、演算部（Ｉ2）２６ｉ，演算部（Ｑ2）２６ｑ、モード選択部２７ｉ，２７ｑおよびゲイン設定部２８ｉ，２８ｑを備え、可変増幅器２３ｉ，２３ｑの各ゲインを個別に制御する。演算部２６ｉ，２６ｑは、ＡＤ変換器２４ｉ，２４ｑからの信号に基づき２乗和Σ（Ｉ2）、Σ（Ｑ2）をそれぞれ算出する。モード選択部２７ｉ，２７ｑは、演算部２６ｉ，２６ｑの演算結果に基づき、更新周期の異なる複数の動作モードのうちのいずれかを選択する。ゲイン設定部２８ｉ，２８ｑは、モード選択部２７ｉ，２７ｑで選択された動作モードで、可変増幅器２３ｉ，２３ｑの各ゲインを周期的に更新設定する。
このような構成では、Ｉ成分およびＱ成分に関して個別に動作モードの選択を行うため、可変増幅器２３ｉの利得と可変増幅器２３ｑの利得とを独立に制御できる。
ゲイン設定部２８ｉ，２８ｑの動作モードを選択する動作については、図２〜図６に示した第１実施形態と同様であるので、説明を省略する。したがって、第２実施形態においても、第１実施形態と同様に、受信電力の変動状況に応じて更新周期の異なる動作モードのいずれかで可変増幅器のゲインを更新設定するため、通信環境の変化に応じた可変増幅器の利得制御が可能である。
【００１０】
実施の形態３．
図８は、この発明の第３実施形態として無線通信装置の電気的構成を示すブロック図である。無線通信装置３０は、第１実施形態の構成を一部変更したものであって、アンテナ３１，４１、増幅器３１ａ，４１ａ、ミキサ３２，４２、可変増幅器（ＶＧＡ）３３ｉ，３３ｑ，４３ｉ，４３ｑ、ＡＤ変換器３４ｉ，３４ｑ ，４４ｉ，４４ｑ、処理部３５、自動利得制御装置（ＡＧＣ）４９を備える。
アンテナ３１、増幅器３１ａ、ミキサ３２、可変増幅器（ＶＧＡ）３３ｉ，３３ｑおよびＡＤ変換器３４ｉ，３４ｑは、ダイバーシティ受信のための第１ブランチを構成するものであり、図１と同様のものであるため説明を省略する。アンテナ４１、増幅器４１ａ、ミキサ４２、可変増幅器（ＶＧＡ）４３ｉ，４３ｑおよびＡＤ変換器４４ｉ，４４ｑは、ダイバーシティ受信のための第２ブランチを構成するものであり、図１と同様のものであるため説明を省略する。処理部３５も、図１と同様のものである。
自動利得制御装置４９は、演算部（Ｉ2＋Ｑ2）３６，演算部（Ｉ2＋Ｑ2）４６、モード選択部３７、ゲイン設定部３８および補正部４０，５０を備え、可変増幅器３３ｉ，３３ｑ，４３ｉ，４３ｑのゲインを制御する。演算部３６は、ＡＤ変換器３４ｉ，３４ｑからの信号に基づきΣ（Ｉ2＋Ｑ2）を算出する。演算部４６は、ＡＤ変換器４４ｉ，４４ｑからの信号に基づきΣ（Ｉ2＋Ｑ2）を算出する。
電力比較部３９は、両ブランチの電力を比較する。モード選択部３７は、電力比較部３９の比較結果に基づき、更新周期の異なる複数の動作モードのうちのいずれかを選択する。ゲイン設定部３８は、モード選択部３７で選択された動作モードで、可変増幅器３３ｉ，３３ｑ，４３ｉ，４３ｑの共通ゲインを周期的に更新設定する。補正部４０，５０は、外部からの無線信号を受信しない初期動作時のゲイン制御量を各ブランチ毎に記憶しておき、無線信号を受信したときのゲイン制御量を補正して各ブランチの可変増幅器に設定する。具体的には、各ブランチ間の製品ばらつきによるゲインのばらつきを吸収するような補正を行い、両ブランチのトータルのゲインを等しくする。
このような構成では、Ｉ成分とＱ成分とを演算部３６，４６にて合成し、更に電力比較部３９にて第１ブランチおよび第２ブランチからの信号を合成し、ゲイン設定部３８にて可変増幅器３３ｉ，３３ｑ，４３ｉ，４３ｑのゲインをまとめて制御するため、装置構成を簡略化できる。また、演算部３６，４６では、Σ（Ｉ2＋Ｑ2）という計算式を用いるため、Ｉ成分とＱ成分とを均等に扱うことができ、どのような通信環境においても、充分な制御性能を得ることができる。
ゲイン設定部３８の動作モードを選択する動作については、図２〜図６に示した第１実施形態と同様であるので、説明を省略する。したがって、第３実施形態においても、第１実施形態と同様に、受信電力の変動状況に応じて更新周期の異なる動作モードのいずれかで可変増幅器の共通ゲインを更新設定するため、通信環境の変化に応じた可変増幅器の利得制御が可能であり、ＡＤ変換器の変換精度を良好に維持することができる。
なお、第３実施形態では、Ｉ成分とＱ成分とをまとめて制御したが、第２実施形態のように個別に制御する構成も実現可能である。また、第3実施形態では、第１ブランチ，第２ブランチをまとめて制御したが、個別に制御する構成も実現可能である。
【産業上の利用可能性】
【００１１】
以上のような本発明に係る自動利得制御装置および無線通信装置は、ＣＤＭＡ方式等の無線基地局装置や無線端末に適用され得る。
【図面の簡単な説明】
【００１２】
【図１】  この発明の第１実施形態として無線通信装置の電気的構成を示すブロック図である。
【図２】  ゲイン設定部１８の動作モードを示す図である。
【図３】  ＡＧＣ処理流れを示すフローチャートである。
【図４】  図３のフレームチェック処理を詳しく示すフローチャートである。
【図５】  図３のスロットチェック処理を詳しく示すフローチャートである。
【図６】  図３のゲイン制御量設定処理を詳しく示すフローチャートである。
【図７】  この発明の第２実施形態として無線通信装置の電気的構成を示すブロック図である。
【図８】  この発明の第３実施形態として無線通信装置の電気的構成を示すブロック図である。
【図９】  従来の自動利得制御装置を適用した無線通信装置を示す図である。
【図１】
0004053419.tif 000002
【図２】
0004053419.tif 000003
【図３】
0004053419.tif 000004
【図４】
0004053419.tif 000005
【図５】
0004053419.tif 000006
【図６】
0004053419.tif 000007
【図７】
0004053419.tif 000008
【図８】
0004053419.tif 000009
【図９】
0004053419.tif 000010